(57)【要約】【課題】  一つの記録媒体上に記録する信号の記録モードを容易に統一可能とする。【解決手段】  入力された画像信号を記録媒体に記録する記録手段と、表示装置に表示されたメニュー画面を利用して、互いに異なる複数の記録モードから任意の記録モードを設定する記録モード設定手段と、前記記録モード設定手段により設定された記録モードにて前記画像信号を記録するよう前記記録手段を制御する制御手段と、前記記録媒体に記録されている画像信号の記録モードを検出するモード検出手段と、前記モード検出手段により検出された記録モードを、前記メニュー画面にて表示する記録モード情報の初期値として設定する表示制御手段とを備える。【選択図】  図２
2006041700.tif 000002
【特許請求の範囲】
【請求項１】
画像信号を入力する入力手段と、
前記入力手段により入力された画像信号を記録媒体に記録する記録手段と、
表示装置に表示されたメニュー画面を利用して、互いに異なる複数の記録モードから任意の記録モードを設定する記録モード設定手段と、
前記記録モード設定手段により設定された記録モードにて前記画像信号を記録するよう前記記録手段を制御する制御手段と、
前記記録媒体に記録されている画像信号の記録モードを検出するモード検出手段と、
前記モード検出手段により検出された記録モードを、前記メニュー画面にて表示する記録モード情報の初期値として設定する表示制御手段とを備える記録装置。
【請求項２】
前記モード検出手段は前記記録媒体が装着されたことに応じて前記装着された記録媒体に記録されている情報信号の記録モードを検出することを特徴とする請求項１記載の記録装置。
【請求項３】
前記制御手段は更に、前記モード検出手段により検出された記録モードを前記記録手段により記録すべき画像信号の記録モードとして設定し、その後前記記録モード設定手段により記録モードの切り替えがない場合、前記モード検出手段により検出された記録モードと同じ記録モードにて前記画像信号を記録するよう前記記録手段を制御することを特徴とする請求項１記載の記録装置。
【請求項４】
前記記録手段は入力された前記情報信号を符号化する符号化手段を有し、前記複数の記録モードにおいて前記符号化手段は異なる符号化方式にて前記情報信号を符号化することを特徴とする請求項１記載の記録装置。
【請求項５】
前記符号化方式はフレーム内符号化のみを行う第１の符号化方式とフレーム間符号化を行う第２の符号化方式とを含むことを特徴とする請求項４記載の記録装置。
【請求項６】
前記符号化方式はＨＤデジタルＶＣＲ評議会が規定したＳＤフォーマットに従う符号化方式とＭＰＥＧ２規格に従う符号化方式とを含むことを特徴とする請求項５記載の記録装置。
【請求項７】
前記記録媒体から前記画像信号を再生する再生手段を備え、前記モード検出手段は前記記録媒体から再生された画像信号中の付加情報に基づいて前記記録モードを検出することを特徴とする請求項１記載の記録装置。
【請求項８】
前記記録媒体はテープ状記録媒体を含み、前記モード検出手段は前記テープ状記録媒体における記録開始位置の位置から再生された前記画像信号の記録モードを検出することを特徴とする請求項７記載の記録装置。
【請求項９】
前記制御手段は前記記録媒体が装着されたことに応じて前記テープ状記録媒体を所定量巻き戻すと共に前記巻き戻した位置より再生を開始して前記記録モードを検出するよう前記再生手段と前記モード検出手段とを制御することを特徴とする請求項８記載の記録装置。
【請求項１０】
前記記録手段は、前記入力手段により入力された画像信号を第１の記録モードに対応した第１の形態に変換すると共に、前記入力された画像信号を第２の記録モードに対応した第２の形態に変換する変換手段を有することを特徴とする請求項１記載の記録装置。
【請求項１１】
装置外部より前記第１の形態の画像信号または第２の形態の画像信号を受信する受信手段を備え、前記記録手段は更に、前記変換手段から出力された画像信号と前記受信手段により受信された画像信号のうちの一方を選択して記録することを特徴とする請求項１０記載の記録装置。
【請求項１２】
前記モード検出手段は更に、前記受信手段により受信された画像信号の記録モードを検出し、前記表示制御手段は、前記記録手段が前記受信手段により受信された画像信号を選択した場合、前記受信された画像信号の記録モードを前記メニュー画面にて表示する記録モード情報の初期値として設定することを特徴とする請求項１１記載の記録装置。
【請求項１３】
前記制御手段は、前記記録媒体に記録されている画像信号の記録モードと前記受信手段により受信された画像信号の記録モードとが異なっている場合、所定の警告情報を表示するよう前記表示制御手段を制御することを特徴とする請求項１１記載の記録装置。
【発明の詳細な説明】
【技術分野】
【０００１】
本発明は複数の記録モードを有する記録装置に関する。
【背景技術】
【０００２】
従来、ビデオカメラで撮影した画像をビデオカセットに記録するカムコーダが知られている。
【０００３】
この様なカムコーダのうち、現在、民生用のものとしては、ＨＤデジタルＶＣＲ評議会にて規定されたフォーマットであるＤＶフォーマット対応のカムコーダが主流であり、更にＤＶフォーマットのうち、ＮＴＳＣ方式やＰＡＬ方式などのビデオ信号に対応したＳＤ（Ｓｔａｎｄａｒｄ  Ｄｅｆｉｎｉｔｉｏｎ）フォーマット（モード）対応のカムコーダが製品化されている。
【０００４】
一方、ＢＳデジタルテレビ放送などでＨＤ方式の画像信号の放送が始まり、また、ＨＤ方式対応のテレビ受信機なども普及し始めており、カムコーダにおいても従来のＳＤフォーマットに加え、ＨＤフォーマットに対応した装置が要望される環境が整いつつある。
【０００５】
この様にＨＤ方式の画像信号を記録するフォーマットとしては、前述のＤＶ規格にて規定されたＨＤフォーマットだけでなく、例えば、下記の公知文献１に記載の技術なども考えられている。
【０００６】
また、近年では、この様なＨＤフォーマットのデータをＭＰＥＧ符号化して記録する民生用のデジタルＶＴＲとして、ＨＤＶフォーマットが提案された。このＨＤＶフォーマットでは、ＳＤフォーマットよ同様のテープカセットを用い、同様のトラックピッチにてテープ上にトラックを形成し、ＨＤ方式のビデオデータを記録する。そのため、ＳＤフォーマットと同じメカ構成にてＶＴＲを構成することが可能となる。
【特許文献１】特開２００２−２１６４３３号
【発明の開示】
【発明が解決しようとする課題】
【０００７】
前述のように、同じビデオカセットに対し、ＳＤフォーマットとＨＤＶフォーマットとで画像信号を記録可能なカムコーダが製品化された場合、同一のビデオカセットにＳＤフォーマットとＨＤフォーマットの両方の画像信号が記録されてしまう。
【０００８】
しかし、現在製品化されているカムコーダはＳＤフォーマットのみに対応しているため、このような従来のカムコーダにおいてはＨＤＶフォーマットで記録された画像信号を扱うことができない。
【０００９】
そのため、ＳＤフォーマットの画像信号とＨＤＶフォーマットの画像信号が一つのカセットに混在して記録された場合、ＨＤＶフォーマットで記録された画像信号は再生されないため、何も記録されていないものと思い、誤って消去してしまうなど、種々の問題が発生してしまうことが考えられる。
【００１０】
この様なことを防ぐためには、テープ上に記録される画像データのフォーマットを統一させるよう、ユーザが記録モードを切り替える必要があるが、そのためには、テープに記録されているデータを再生して記録モードを確認する必要があり、手間がかかるという問題がある。
【００１１】
本発明はこの様な問題を解決することを目的とする。
【００１２】
本発明の他の目的は、複数の記録モードのうち、一つの記録媒体上に記録する信号のモードを容易に統一することが可能な装置を提供する処にある。
【課題を解決するための手段】
【００１３】
本発明は、画像信号を入力する入力手段と、前記入力手段により入力された画像信号を記録媒体に記録する記録手段と、表示装置に表示されたメニュー画面を利用して、互いに異なる複数の記録モードから任意の記録モードを設定する記録モード設定手段と、前記記録モード設定手段により設定された記録モードにて前記画像信号を記録するよう前記記録手段を制御する制御手段と、前記記録媒体に記録されている画像信号の記録モードを検出するモード検出手段と、前記モード検出手段により検出された記録モードを、前記メニュー画面にて表示する記録モード情報の初期値として設定する表示制御手段とを備える。
【発明の効果】
【００１４】
記録モードを設定しようとしてメニュー画面を表示した際に、記録媒体に記録されている画像信号の記録モードを容易に認識することが可能となる。
【発明を実施するための最良の形態】
【００１５】
以下、図面を用いて本発明の実施形態を説明する。
【００１６】
図１は本発明が適用されるカムコーダ１００の構成を示す図である。本形態のカムコーダ１００は、ＨＤＶフォーマットの画像信号を撮影して記録するモード（以下ＨＤモード）と、従来のＳＤフォーマットの画像信号を撮影して記録するモード（以下ＳＤモード）の二つのモードのうちの一方を選択して動画像をテープ上に記録する。なお、以下の説明では音声信号の処理について説明は省略したが、音声信号も当然ＨＤモード、ＳＤモードにそれぞれ対応した処理を施して記録再生する。
【００１７】
図１において、まず、基本的な記録再生時の処理について説明する。撮像部１０１は周知のＣＣＤを有し、制御部１０６の指示に従いユーザにより設定された記録モードに応じてＳＤフォーマットの動画像信号とＨＤフォーマットの動画像信号のうちの一方を信号処理部１０２と表示制御部１０４に出力する。
【００１８】
信号処理部１０２は設定された記録モードに応じて画像信号を圧縮、伸長する回路である。圧縮処理部１０２ａは、制御部１０６の指示に従い、撮像部１０１から出力された動画像信号を指定された記録モードに応じて符号化して情報量を圧縮し、記録処理部１０２ｂに出力する。
【００１９】
即ち、本形態では、ＳＤモードにおいては、前述のＤＶ規格におけるＳＤフォーマットに従い、撮像部１０１からの動画像信号に対してＤＣＴ、量子化、可変長符号化などの処理を施して記録処理部１０２ｂに出力する。ＳＤフォーマットでは、ＪＰＥＧ規格と同様にフレーム内の画像信号のみを用いて符号化を行う。また、ＨＤモードにおいては、撮像部１０１からの動画像信号に対してＭＰＥＧ２方式に応じた符号化処理を施してＭＰＥＧ２形式のデータを記録処理部１０２ｂに出力する。ＭＰＥＧ２は、異なるフレーム間の差分を符号化する方式であり、ＳＤフォーマットよりも圧縮率を高くすることができるので、ＨＤ方式の画像信号の様に情報量が多い場合でもＳＤフォーマットとほぼ同じデータレートの信号を得ることができる。
【００２０】
記録処理部１０２ｂは圧縮処理部１０２ａから出力された動画像信号に対し、同期、ＩＤデータや記録モードを示す情報を含む付加情報などを付加して指定された記録モードに適した形態に変換し、記録再生部１０３に出力する。記録再生部１０３は回転ヘッドによりテープＴ上に多数のヘリカルトラックを形成し、記録処理部１０２ｂからの信号を記録する。
【００２１】
制御部１０６は操作スイッチ部１０７により設定された記録モードや記録、再生の指示に応じて信号処理部１０２、記録再生部１０３及びテープ搬送部１０９を制御する。
【００２２】
再生時においては、記録再生部１０３はテープＴより画像信号を再生し、再生処理部１０２ｄに出力する。再生処理部１０２ｄは再生された信号から記録モードの情報を検出して制御部１０６に出力し、また、再生された画像信号に対してエラー訂正などの処理を施して伸長処理部１０２ｃに出力する。制御部１０６は再生された画像信号の記録モードを検出し、検出した記録モードに応じて画像信号を復号するよう伸長処理部１０２ｃに制御信号を出力する。伸長処理部１０２ｃは制御部１０６より指定された記録モードに応じて再生された画像信号を復号して情報量を伸長し、出力部１１０と表示制御部１０４に出力する。
【００２３】
出力部１１０は伸長処理部１０２ｃから出力された画像信号を外部モニタなどに出力するのに適した形態に変換して出力する。
【００２４】
表示制御部１０４は、制御部１０６からの指示に従い、記録モードにおいては撮像部１０１からの画像信号を表示パネル１０５に出力し、再生モードにおいては伸長処理部１０２ｃからの画像信号を表示パネル１０５に出力して表示する。
【００２５】
また、制御部１０６は、操作スイッチ群１０７による操作に従って表示制御部１０４とメニュー画面生成部１０８を制御し、各種のメニュー画面などを表示パネル１０５に表示する。
【００２６】
本形態では、ユーザがメニュー画面を使ってＳＤモードとＨＤモードとを切り替える。そして、本形態では、テープＴに記録されているデータの記録モードを検出し、この検出した記録モードに合わせてこれから記録する画像データの記録モードを自動的に設定すると共に、メニュー画面にて記録モード切り替えの際に表示する記録モードの初期データとして、テープＴに記録されていた画像データの記録モードを設定する。
【００２７】
以下、図１の記録装置の記録時の処理について、図２のフローチャートを用いて説明する。
【００２８】
操作スイッチ１０７による電源投入に応じて図２のフローがスタートする。
【００２９】
まず、メニュー表示のバックアップデータがあるか否かを検出し（Ｓ２０１）、バックアップデータがあった場合にはこのバックアップデータに基づいてメニュー表示のデフォルト値を更新する（Ｓ２０２）。また、バックアップデータがなかった場合には、初期テーブルデータに基づいてメニュー表示を更新する（Ｓ２０３）。
【００３０】
そして、テープが既に装着されていた場合、テープＴを巻き戻し、直前の位置に記録されているデータを再生し、その記録モードを検出する（Ｓ２０４）。そして、検出した記録モードに応じて、メニュー表示の初期データを更新する（Ｓ２０７）。
【００３１】
一方、電源投入時にテープが装着されていない場合には、テープの装着を待ち（Ｓ２０５）、テープが装着されると、同様にテープに記録されているデータの記録モードを検出し、メニュー表示を初期設定する。
【００３２】
この状態で、ユーザが操作スイッチ１０７によりメニュー画面を表示し、記録モード設定のための画面を表示すると、テープに記録されていた画像データの記録モードがデフォルト値として表示されており、ユーザが記録モードの切り替えを行う場合、メニュー画面を確認すればテープに記録されている画像データの記録モードを容易に確認することができる。そして、ユーザが記録モードを切り替えると（Ｓ２０８）、記録モードを切り替え後の記録モードに設定すると共にメニュー表示を更新する（Ｓ２０９）。
【００３３】
そして、操作スイッチ１０７より記録開始の指示があると（Ｓ２１０）、設定された記録モードにてテープＴに対する記録を開始する（Ｓ２１１）。そして、記録停止の指示があると（Ｓ２１２）、電源オフを確認し（Ｓ２１３）、処理を終了する。
【００３４】
この様に、本形態によれば、テープ上に既に記録されている画像データの記録モードを検出し、この検出された記録モードに応じて、記録モード切り替えのためのメニュー表示の初期値を更新するので、ユーザが記録モードを設定しようとしてメニュー画面を表示した際に、テープに記録されている画像データの記録モードを容易に認識することが可能となる。
【００３５】
そのため、容易にテープ上に記録する画像データの記録モードを統一させるべく記録モードを設定することができる。
【００３６】
次に、第２の実施形態を説明する。
【００３７】
図３は本実施形態における記録時の処理を示すフローチャートである。本形態では、テープに記録されている画像データの記録モードに応じてメニュー表示の初期値を設定すると共に、装置の記録モードも設定する点が前述の実施形態と異なる。
【００３８】
まず、メニュー表示のバックアップデータがあるか否かを検出し（Ｓ３０１）、バックアップデータがあった場合にはこのバックアップデータに基づいてメニュー表示のデフォルト値を更新する（Ｓ３０２）。また、バックアップデータがなかった場合には、初期テーブルデータに基づいてメニュー表示を更新する（Ｓ３０３）。
【００３９】
そして、テープが既に装着されていた場合（Ｓ３０４）、テープＴを巻き戻し、直前の位置に記録されているデータを再生し、その記録モードを検出する（Ｓ３０６）。そして、検出した記録モードに応じて、装置の記録モードを設定し（Ｓ３０７）、メニュー表示の初期データを更新する（Ｓ３０８）。
【００４０】
一方、電源投入時にテープが装着されていない場合には、テープの装着を待ち（Ｓ３０５）、テープが装着されると、同様にテープに記録されているデータの記録モードを検出し、メニュー表示を初期設定する。
【００４１】
この状態で、ユーザが操作スイッチ１０７によりメニュー画面を表示し、記録モード設定のための画面を表示すると、テープに記録されていた画像データの記録モードがデフォルト値として表示されており、ユーザが記録モードの切り替えを行う場合、メニュー画面を確認すればテープに記録されている画像データの記録モードを容易に確認することができる。そして、ユーザが記録モードを切り替えると（Ｓ３０９）、記録モードを切り替え後の記録モードに設定すると共に（Ｓ３１０）、メニュー表示を更新する（Ｓ３１１）。
【００４２】
そして、操作スイッチ１０７より記録開始の指示があると（Ｓ３１２）、設定された記録モードにてテープＴに対する記録を開始する（Ｓ３１３）。そして、記録停止の指示があると（Ｓ３１４）、電源オフを確認し（Ｓ３１５）、処理を終了する。
【００４３】
この様に、本形態によれば、テープ上に既に記録されている画像データの記録モードを検出し、この検出された記録モードに応じて、記録モード切り替えのためのメニュー表示の初期値を更新するので、ユーザが記録モードを設定しようとしてメニュー画面を表示した際に、テープに記録されている画像データの記録モードを容易に認識することが可能となる。
【００４４】
また、装置の記録モードをテープ上に記録されていた画像データの記録モードに合わせて記録しているので、ユーザが記録モードの切り替えを指示しなければ、そのままテープの記録モードを統一することができる。
【００４５】
そのため、容易にテープ上に記録する画像データの記録モードを統一させるべく記録モードを設定することができる。
【００４６】
次に、第３の実施形態を説明する。
【００４７】
図４は本実施形態によるカムコーダ１００の構成を示す図である。図４において、図１と同様の構成には同一番号を付してある。図４のカムコーダ１００は、図１の構成に対し、デジタルＩ／Ｆ１１０とモード検出部１１１が追加されている。
【００４８】
デジタルＩ／Ｆ１１１は、外部機器から送信されたＳＤモード、或いはＨＤモードの画像信号を符号化されたままの形態で受信すると共に、記録再生部１０３を介して供給されるＳＤモードの画像信号或いはＨＤモードの画像信号を符号化されたままの形態で外部機器に送信する。また、モード検出器１１１はデジタルＩ／Ｆ１１０より入力された画像信号がＳＤモードとＨＤモードの何れのモードであるのかを検出し、制御部１０６に知らせる。
【００４９】
本形態では、デジタルＩ／Ｆ１１０から入力された画像信号を記録再生部１０３によりテープＴに記録する外部データ入力モードを持つ。
【００５０】
図５は本形態による記録処理を示すフローチャートである。
【００５１】
操作スイッチ１０７による電源投入に応じて図５のフローがスタートする。
【００５２】
まず、メニュー表示のバックアップデータがあるか否かを検出し（Ｓ５０１）、バックアップデータがあった場合にはこのバックアップデータに基づいてメニュー表示のデフォルト値を更新する（Ｓ５０２）。また、バックアップデータがなかった場合には、初期テーブルデータに基づいてメニュー表示を更新する（Ｓ５０３）。
【００５３】
そして、テープが既に装着されていた場合（Ｓ５０４）、テープＴを巻き戻し、直前の位置に記録されているデータを再生し、その記録モードを検出する（Ｓ５０６）。そして、検出した記録モードに応じて、メニュー表示の初期データを更新する（Ｓ５０７）。
【００５４】
一方、電源投入時にテープが装着されていない場合には、テープの装着を待ち（Ｓ５０５）、テープが装着されると、同様にテープに記録されているデータの記録モードを検出し、メニュー表示を初期設定する。
【００５５】
この状態で、ユーザが操作スイッチ１０７によりメニュー画面を表示し、記録モード設定のための画面を表示すると、テープに記録されていた画像データの記録モードがデフォルト値として表示されており、ユーザが記録モードの切り替えを行う場合、メニュー画面を確認すればテープに記録されている画像データの記録モードを容易に確認することができる。そして、ユーザが記録モードを切り替えると（Ｓ５０８）、記録モードを切り替え後の記録モードに設定すると共にメニュー表示を更新する（Ｓ５０９）。
【００５６】
そして、外部データ入力モードの指示があると（Ｓ５１０）、デジタルＩ／Ｆ１１０から入力された画像信号の記録モードをモード検出部１１１により検出し、テープＴに記録されている画像データの記録モードと一致しているか否かを判別する（Ｓ５１１）。一致していればそのまま処理を進め、一致していない場合、その旨を示す警告情報を表示パネル１０５に表示して（Ｓ５１２）、メニュー表示の初期値をモード検出部１１１が検出した記録モードに切り替える（Ｓ５１３）。
【００５７】
そして、操作スイッチ１０７より記録開始の指示があると（Ｓ５１４）、設定された記録モードにてテープＴに対する記録を開始する（Ｓ５１５）。そして、記録停止の指示があると（Ｓ５１６）、電源オフを確認し（Ｓ５１７）、処理を終了する。
【００５８】
この様に、本形態によれば、テープ上に既に記録されている画像データの記録モードを検出し、この検出された記録モードが外部から入力された画像信号の記録モード一致していない場合に、その旨を警告すると共に、外部入力の画像信号の記録モードに応じて、記録モード切り替えのためのメニュー表示の初期値を更新するので、ユーザが記録モードを設定しようとしてメニュー画面を表示した際に、外部から入力されている画像データの記録モードを容易に認識することが可能となる。
【００５９】
そのため、容易にテープ上に記録する画像データの記録モードを統一させるべく記録モードを設定することができる。
【図面の簡単な説明】
【００６０】
【図１】本発明が適用されるレコーダの構成を示す図である。
【図２】本発明の実施形態におけるメニュー更新処理を示すフローチャートである。
【図３】本発明の実施形態におけるメニュー更新処理を示すフローチャートである。
【図４】本発明が適用されるレコーダの構成を示す図である。
【図５】本発明の実施形態におけるメニュー更新処理を示すフローチャートである。
【図１】
2006041700.tif 000003
【図２】
2006041700.tif 000004
【図３】
2006041700.tif 000005
【図４】
2006041700.tif 000006
【図５】
2006041700.tif 000007